(57)【特許請求の範囲】
【請求項１】
表面に複数のキーが表示されたカードを挿入する挿入口と、
前記挿入口に挿入されたカードの各キーがキー操作部として表れる透明なタブレットと、
前記カードに記録されている情報を読み取る読取部と、
前記読取部が読み取った情報に基づいて、前記タブレットに表れる各キーを特定のキーとして割り当てる制御部と、
割り当てられたキーの操作に基づいて当該キーに対応した信号を送信するとともに、外部から所定の情報を受信する送受信部と、
受信した情報を表示する表示部と、を備え、
前記カードには、当該カードの専用ホームページへアクセスするためのＵＲＬアドレスが記憶されており、前記読取部によってこのＵＲＬアドレスを読み取って、前記送受信部を介してインターネットへ接続し、当該ＵＲＬアドレスに対応する専用ホームページの内容を前記表示部に表示し、
前記タブレットに表れる前記専用ホームページ上で項目選択を行なうためのキーの名称およびレイアウトと、前記表示部の前記専用ホームページに表示されるキーの名称およびレイアウトとが夫々同じであって、
前記専用ホームページは、前記キーで前記専用ホームページ内での項目を選択できるように作成され、
前記カードの前記キーを１回押圧することで、前記専用ホームページ内での選択操作のコード信号が作成されることを特徴とするタブレット式情報端末装置。
【請求項２】
表面に複数のキーが表示されたカードと、
前記カードが挿入される挿入口、および当該挿入口に挿入されたカードの前記各キーがキー操作部として表れる透明なタブレットを有するタブレット式情報端末装置と、を備え、
前記カードには、当該カードの専用ホームページへアクセスするためのＵＲＬアドレスが記憶されており、このカードが前記タブレット式情報端末装置に挿入されることで、ＵＲＬアドレスが読み取られ、当該ＵＲＬアドレスに対応する専用ホームページの内容がタブレット式情報端末装置の表示部に表示され、
前記タブレットに表れる前記専用ホームページ上で項目選択を行なうためのキーの名称およびレイアウトと、前記表示部の前記専用ホームページに表示されるキーの名称およびレイアウトとが夫々同じであって、
前記専用ホームページは、前記キーでホームページ内での項目を選択できるように作成され、
前記カードの前記キーを１回押圧することで、前記専用ホームページ内での選択操作のコード信号が作成されることを特徴とするホームページ閲覧システム。
【発明の詳細な説明】
【０００１】
【発明の属する技術分野】
本発明は、ＩＣカード等の情報記憶媒体を用いてキー割当てを行なう情報端末装置に関し、特にタブレットを備えた装置に関するものである。
【０００２】
【従来の技術】
タブレットを備えたキー入力装置としては、すでに種々のものが知られているが、従来の装置においては、タブレットのキー入力部のキーレイアウトが装置ごとに決まっており、各キーの機能も固定されている。したがって、色々な用途に応じて異なるキーレイアウトを有する装置を用意しなければならなかった。
【０００３】
一方、特開平５−１８９６２４号公報には、メモリカードを装着することによって、機能の追加や変更ができるようにした電子機器が開示されている。これにおいては、メモリカードの表面にカードの種類ごとに位置の異なるマークを形成し、メモリカードを本体に挿入したときに、透明なタブレットを通して見えるマークの部分を押圧することによってカードの種類を識別する。そして、そのカードに対応したプログラムやデータをＲＯＭから読み出して、そのプラグラムを実行するようになっている。
【０００４】
上記公報のものは、各カードに対応したプログラムを実行することで機能の追加や変更ができるようになっているが、キーレイアウトの変更やキーの割り当てについては言及しておらず、用途に応じた異なるキーレイアウトに対応しうるものではない。
【０００５】
【発明が解決しようとする課題】
それゆえに本発明の目的は、１台の装置で種々のキーレイアウトに対応でき、インターネットに接続すると、１回の押圧操作でホームページ内の項目を選択できる情報端末装置を提供することにある。
【０００６】
本発明の他の目的は、カードを情報端末装置へ挿入することでインターネットに接続し、ホームページ内では、カードのキーに対する１回の押圧操作で、ホームページ内の画面操作ができるシステムを提供することにある。
【０００７】
【課題を解決するための手段】
本発明に係るタブレット式情報端末装置は、表面に複数のキーが表示されたカードを挿入する挿入口と、挿入口に挿入されたカードの各キーがキー操作部として表れる透明なタブレットと、カードに記録されている情報を読み取る読取部と、読取部が読み取った情報に基づいて、タブレットに表れる各キーを特定のキーとして割り当てる制御部と、割り当てられたキーの操作に基づいて当該キーに対応した信号を送信するとともに、外部から所定の情報を受信する送受信部と、受信した情報を表示する表示部とを備える。カードには、当該カードの専用ホームページへアクセスするためのＵＲＬアドレスが記憶されており、読取部によってこのＵＲＬアドレスを読み取って、送受信部を介してインターネットに接続し、当該ＵＲＬアドレスに対応する専用ホームページの内容を表示部に表示する。この場合、タブレットに表れる専用ホームページ上で項目選択を行なうためのキーの名称およびレイアウトと、表示部の専用ホームページに表示されるキーの名称およびレイアウトとが夫々同じであって、専用ホームページは、キーで専用ホームページ内での項目を選択できるように作成され、カードのキーを１回押圧することで、専用ホームページ内での選択操作のコード信号が作成される。
【０００８】
このような情報端末装置では、各カードにそれぞれ固有のＵＲＬアドレスを記憶しておき、このＵＲＬアドレスを読み取ってインターネットへ接続することで、当該カードに対応した専用ホームページを簡単に表示させることができる。なお、この場合の専用ホームページの画面は、タブレットに表示されているキーで項目を選択できる専用の画面である。
また、カードのタブレットに表れるキーの名称およびレイアウトは、専用ホームページに表示されるキーの名称およびレイアウトと同じであるため、利用者は専用ホームページに表示されたあるキーを選択したい場合に、画面上でカーソルを移動させて選択を行なう必要がなく、情報端末装置のタブレット上で選択項目と同じレイアウトの同じ名称のキーを直接的に押圧すればよいので、ホームページでの項目選択をきわめて簡単に、しかも間違いなく行なうことができる。
【０００９】
本発明のホームページ閲覧システムでは、表面に複数のキーが表示されたカードと、カードが挿入される挿入口、および当該挿入口に挿入されたカードの各キーがキー操作部として表れる透明なタブレットを有するタブレット式情報端末装置とを備える。カードには、当該カードの専用ホームページへアクセスするためのＵＲＬアドレスが記憶されており、このカードがタブレット式情報端末装置に挿入されることで、ＵＲＬアドレスが読み取られ、当該ＵＲＬアドレスに対応する専用ホームページの内容がタブレット式情報端末装置の表示部に表示される。この場合、タブレットに表れる専用ホームページ上で項目選択を行なうためのキーの名称およびレイアウトと、表示部の専用ホームページに表示されるキーの名称およびレイアウトとが夫々同じであって、専用ホームページは、キーでホームページ内での項目を選択できるように作成され、カードのキーを１回押圧することで、専用ホームページ内での選択操作のコード信号が作成される。
【００１０】
このようなホームページ閲覧システムでは、タブレット式情報端末装置にＵＲＬアドレスが記憶されたカードを挿入して、このＵＲＬアドレスを読み取って、カードに対応した専用ホームページを簡単に表示させることができる。また、利用者は専用ホームページに表示されたあるキーを選択したい場合に、画面上でカーソルを移動させて選択を行なう必要がなく、情報端末装置のタブレット上で選択項目と同じレイアウトの同じ名称のキーを直接的に押圧すればよいので、ホームページでの項目選択をきわめて簡単に、しかも間違いなく行なうことができる。
なお、前述のように、この場合の専用ホームページの画面は、タブレットに表示されているキーで項目を選択できる専用の画面である。
【００１１】
【発明の実施の形態】
図１は、本発明に係るタブレット式情報端末装置の概略構成を示す図で、（ａ）は斜視図、（ｂ）は部分断面正面図である。図において、３０は情報端末装置、３１はＩＣカード２の挿入口、３２は透明なタブレット、３３は液晶ディスプレイ等からなる表示部、３４は送受信アンテナ、３５は挿入口３１に連続して形成されたカードの収納部、３６はＩＣカード読取部である。
【００１２】
このような情報端末装置３０は、たとえばインターネットに接続して利用することができる。図２はそのシステムを示しており、情報端末装置３０を送受信アンテナ３４を介してインターネット４４に接続し、サーバー４５に蓄積されている情報を取得して、これを表示部３３に表示させるものである。この場合、後述するように、装着されるＩＣカード２に対応したホームページを表示部３３に表示させることができる。
【００１３】
図３は、情報端末装置３０の電気的構成を示したブロック図である。３７は制御部であるＣＰＵ３８と、記憶部であるＲＯＭ３９およびＲＡＭ４０とを含んで構成されるマイクロコンピュータであって、装置全体の制御を行なう。４１はＡ／Ｄ変換器であって、タブレット３２が押圧されて抵抗値が変化することにより検出される電圧を、デジタル値に変換してＣＰＵ３８へ送る。ＣＰＵ３８には、前述の表示部３３およびＩＣカード読取部３６が接続されており、また送受信回路および送受信アンテナ３４を含む送受信部４３が接続されている。送受信部４３は、インターネット４４との間でデータの授受を行なう。４２は各ブロックへ直流電源を供給する電源部である。
【００１４】
図４は、ＩＣカード２のメモリ１３の記憶内容を示したテーブル図である。ＩＣカード２は、たとえばＡデパートのホームページ閲覧用のカード、Ｂショップのホームページ閲覧用のカード、Ｃ会社のホームページ閲覧用のカードというように、特定のホームページに対応して１枚ずつ専用のものが用意されており、各ＩＣカード２のメモリ１３には、図４のように、そのカードに対応したホームページのＵＲＬアドレスがコードで記録されている。また、タブレット３２のキー操作部を操作してホームページ上で項目選択を行なう場合に、各キーにどのような機能を割り当てるかを決定するためのキー割当てプログラムが格納されている。
【００１５】
これらのデータは、ＩＣカード２が情報端末装置３０に装着された際に、ＩＣカード読取部３６により読み取られ、ＣＰＵ３８に送られる。ＣＰＵ３８は、受け取ったデータをＲＡＭ４０に格納し、キー割当てプログラムに従ってタブレット３２からのキー入力に対するキー割当てを行なう。また、ＣＰＵ３８は、ＲＡＭ４０からＵＲＬアドレスを読み出して、このＵＲＬアドレスを送受信部４３を介してインターネット４４へ送信する。
【００１６】
図５は、キー割当てプログラムを情報端末装置３０側に持たせた例を示す。（ａ）のようにカード側のメモリ（磁気ストライプも含む）２２には、そのカードに対応したホームページのＵＲＬアドレスと、識別コードとが記録されている。一方、情報端末装置３０のＲＯＭ３９（ＲＡＭ４０でもよい）には、（ｂ）で示すように、識別コードのそれぞれに対応してキー割当てプログラムが格納されている。ここで、カードには識別コードのみ記録しておき、ＵＲＬアドレスは識別コードと対応させてプログラムとともにＲＯＭ３９に記録するようにしてもよい。
【００１７】
ＩＣカード２が情報端末装置３０に装着されると、ＩＣカード読取部３６によりＵＲＬアドレスと識別コードとが読み取られてＣＰＵ３８に送られる。ＣＰＵ３８は、受け取った識別コードに対応するプログラムをＲＯＭ３９から読み出して、当該プログラムに従ってキーの割り当てを行なう。また、ＵＲＬアドレスを送受信部４３を介してインターネット４４へ送信する。
【００１８】
次に、上記情報端末装置３０を用いてホームページの閲覧を行なう場合の具体例について説明する。ここでは、図６に示した証券カード５０を情報端末装置３０にセットして、証券会社のホームページを閲覧する場合を例に挙げて説明する。証券カード５０はＩＣカードからなり、内部のメモリには図４で示したようなＵＲＬアドレスとキー割当てプログラムとが格納されている。ＵＲＬアドレスは、この証券カード５０に対応した証券会社のホームページを開くためのアドレスであり、キー割当てプログラムは、このホームページ上で株価照会や株売買などの操作を行なうためのキーを割り当てるプログラムである。また、証券カード５０の表面には、株価照会キー５１、株取引キー５２、売りキー５３、買いキー５４、取消キー５５、決定キー５６がそれぞれ印刷されている。
【００１９】
図７は、証券カード５０がセットされたタブレット３２の平面図を示している。情報端末装置３０のタブレット３２には、証券カード５０の表面に印刷された上記６つのキー５１〜５６が、キー操作部として表れている。
【００２０】
図８は、上記のような証券カード５０を用いてホームページを閲覧する場合のフローチャートである。以下、このフローチャートに従って手順を説明する。まず、証券カード５０を情報端末装置３０の挿入口３１へ挿入する（ステップＳ１）。カードが挿入されると、ＩＣカード読取部３６によって、証券カード５０のメモリに格納されているキー割当てプログラムが読み出され、ＲＡＭ４０にロードされる。ＣＰＵ３８はこのプログラムに従って、各キー５１〜５６の機能を割り当てる（ステップＳ２）。
【００２１】
次に、表示部３３に表示された接続アイコンをクリックすると（ステップＳ３）、ＩＣカード読取部３６によって証券カード５０のメモリから読み出されたＵＲＬアドレスが、送受信部４３からインターネット４４へ送信され、当該ＵＲＬアドレスに対応するホームページへの接続が行なわれる（ステップＳ４）。その結果、情報端末装置３０の表示部３３には、証券カード５０に対応する証券会社のホームページが表示される。
【００２２】
続いて、表示されたホームページにおいてパスワードを入力し、パスワードとカードに記録されているセキュリティ情報との照合による認証が行なわれる（ステップＳ５，Ｓ６）。パスワードが不正な場合は（ステップＳ６ＮＯ）、エラーメッセージを表示し（ステップＳ９）、再度認証を行なうか否かを選択させる（ステップＳ１０）。再度認証を行なう場合は（ステップＳ１０ＹＥＳ）、ステップＳ５に戻って再度パスワードを入力する。
再度認証を行なわない場合は（ステップＳ１０ＮＯ）、そのまま終了する。
【００２３】
一方、入力されたパスワードが正しい場合は（ステップＳ６ＹＥＳ）、たとえば図９（ａ）に示すような専用ページ６０が表示部３３の画面に表示される（ステップＳ７）。この画面においては、株価照会キー６１、株取引キー６２、売りキー６３、買いキー６４、取消キー６５、決定キー６６の６つのキーが表示されている。この画面のキーレイアウトは、図７と対比すれば明らかなように、情報端末装置３０のタブレット３２に表れるキーのレイアウトと同じ態様で表示されている。利用者はこの専用ページ６０において、タブレット３２のキーを用いて希望のメニューを選択し所定の操作を行なう（ステップＳ８）。
【００２４】
いま、たとえば株価の照会をしたいときには、図７のタブレット３２において株価照会キー５１の部分を押圧する。この株価照会キー５１には、キー割当てプログラムによって株価を照会するためのキーとしての機能が割り当てられており、株価照会キー５１の押圧によって当該キーに対応するコード信号が生成され、これが送受信部４３から送信される。その結果、表示部３３の画面には、図９（ｂ）に示すような株価照会ページ６７が表示される。この画面には銘柄ごとに終値、前日比、売買高が一覧リスト形式で表示されており、これを見ることで容易に株価を照会することができる。
【００２５】
同様にして、タブレット３２において株取引キー５２を操作した場合も、当該キーに対応するコード信号が生成されて、これが送受信部４３から送信され、表示部３３の画面には株取引のページ（図示省略）が表示される。利用者は、このページにおいてタブレット３２のキー５３〜５６を用いて株の取引を行なう。
【００２６】
このようにして表示部３３の画面には、図９（ａ）のように、各キー６１〜６６がタブレット３２における各キー５１〜５６と同じレイアウトで表示され、キー６１〜６６のそれぞれに対応するキー５１〜５６を押圧することにより、当該押圧したキーに対応した処理が行なわれる。この場合、表示部３３のキーの配置とタブレット３２上のキーの配置とが完全に対応しているので、キーの選択にあたって操作が非常にやりやすくなっている。また、画面上でカーソルを移動させて選択する必要がないので、操作を迅速かつ確実に行なうことができる。
【００２７】
なお、上記の例ではキーを割り当てるプログラムは証券カード５０のメモリに格納されているが、図５で述べたように、このプログラムは情報端末装置３０のＲＯＭ３９に格納してもよい。
【００２８】
また、上記説明では１枚のカードに１つのＵＲＬアドレスを記録する場合を例に挙げたが、１枚のカードに複数のＵＲＬアドレスを記録するようにしてもよい。この場合は、たとえばカードの挿入方向あるいは表裏によって、異なるＵＲＬアドレスが読み取られるように構成すればよい。
【００２９】
カードには上記以外にも種々の形態が考えられる。たとえば、図１０に示すフィットネスクラブカード８０を情報端末装置３０にセットしてインターネットに接続すると、フィットネスクラブで測定した各種のデータやトレーニングプログラム等を参照することができ健康管理に役立てることができる。また、図１１に示すホームバンクカード９０を情報端末装置３０にセットしてインターネットに接続すると、口座振込みや残高照会、金利情報の確認、資金の運用相談などができ、銀行に出向く必要がなくなる。
【発明の効果】
【００３０】
本発明の情報端末装置によれば、１台の装置で種々のキーレイアウトに対応できるとともに、各カードに対応したインターネットの専用ホームページを簡単に表示できる。また、カードのタブレットに表れるキーの名称およびレイアウトと、ホームページに表示されるキーの名称およびレイアウトとが同じであるため、専用ホームページ上であるキーを選択する場合に、画面上でカーソルを移動させて選択を行なう必要がなく、タブレット上での１回の押圧操作で、専用ホームページでの項目選択をきわめて簡単に、しかも間違いなく行なうことができる。
【図面の簡単な説明】
【図１】本発明に係るタブレット式情報端末装置の概略構成を示す図である。
【図２】情報端末装置をインターネットに接続したシステムを示す図である。
【図３】情報端末装置の電気的構成を示したブロック図である。
【図４】ＩＣカードの記憶内容を示したテーブル図である。
【図５】ＩＣカードの記憶内容を示したテーブル図の他の例である。
【図６】証券カードを示す図である。
【図７】証券カードがセットされたタブレットの平面図である。
【図８】ホームページ閲覧の手順を示したフローチャートである。
【図９】ホームページが表示された画面の例である。
【図１０】フィットネスクラブカードを示す図である。
【図１１】ホームバンクカードを示す図である。
【符号の説明】
２    ＩＣカード
３０  情報端末装置
３１  挿入口
３２  タブレット
３３  表示部
３６  ＩＣカード読取部
３７  マイクロコンピュータ
３８  ＣＰＵ（制御部）
３９  ＲＯＭ（記憶部）
４０  ＲＡＭ（記憶部）
４３  送受信部
４４  インターネット
５０  証券カード
８０  フィットネスクラブカード
９０  ホームバンクカード
【図１】
0003946931.tif 000002
【図２】
0003946931.tif 000003
【図３】
0003946931.tif 000004
【図４】
0003946931.tif 000005
【図５】
0003946931.tif 000006
【図６】
0003946931.tif 000007
【図７】
0003946931.tif 000008
【図８】
0003946931.tif 000009
【図９】
0003946931.tif 000010
【図１０】
0003946931.tif 000011
【図１１】
0003946931.tif 000012